(57)【要約】      （修正有）【課題】整然とした折り目を非常に簡単、かつ、手軽につけることができるプリーツスカート用折り目付け具を提供する。【解決手段】可撓性を有する厚手の透明な二つ折りされたシート間にプリーツスカートを挟むとともに、プリーツスカートのウエスト部と対面したシートの上端部を両手で持ち上げて軽く前後に振るという操作によってプリーツを整えることを特徴とし、表裏両面のプリーツの折り目の不具合を容易に視認、修正して寝押し等をすることができる。さらに、厚手のシートを用いることで寝押し等をする場所ではないところで折り目の状態を整え、そのままの状態で寝押し等をする場所に移すことができる。【選択図】図１
2014061114.tif 000002
【特許請求の範囲】
【請求項１】
可撓性を有する厚手の透明な二つ折りされたシート間にプリーツスカートを挟むとともに、プリーツスカートのウエスト部と対面したシートの上端部を両手で持ち上げて軽く前後に振るという操作によってプリーツを整えるものであることを特徴とするプリーツスカート用折り目付け具。
【請求項２】
二つ折りされたシートの折り返し部の側方にはプリーツスカートのウエスト部を把持し易くするために切欠部を設けていることを特徴とする請求項１に記載のプリーツスカート用折り目付け具。
【請求項３】
折り返し部の近傍には、開口部が形成されており、シート間に挟んだスカートのウエスト部を把持できることを特徴とする請求項１又は請求項２のいずれか１項に記載のプリーツスカート用折り目付け具。
【請求項４】
プリーツスカートのウエスト部と対面したシートの上端部を両手で持ち上げて軽く前後に振る把持位置には、前記シートを接離自在とする接合手段が設けられていることを特徴とする請求項１乃至請求項３のいずれか１項に記載のプリーツスカート用折り目付け具。
【請求項５】
一対のシートは、プリーツスカートの外形と対応する台形形状に形成されており、前記シートの台形形状の両傾斜部には傾斜部に沿って透明シートを接離自在とする接合手段を複数個設けたことを特徴とする請求項１乃至請求項４のいずれか１項に記載のプリーツスカート用折り目付け具。
【請求項６】
プリーツスカートのウエスト部と対面したシートの上端部を両手で持ち上げて軽く前後に振る把持位置のシートの外側の面には、凸状になった把持部を有することを特徴とする請求項１乃至請求項５のいずれか１項に記載のプリーツスカート用折り目付け具。
【請求項７】
シートの厚みは１．０〜２．０ミリメートルであることを特徴とする請求項１乃至請求項６のいずれか１項に記載のプリーツスカート用折り目付け具。
【発明の詳細な説明】
【技術分野】
【０００１】
本発明は、一対のシート間にプリーツスカートを挟み、プリーツスカートに折り目を付けるプリーツスカート用折り目付け具に関するものである。 
【背景技術】
【０００２】
従来、家庭でプリーツスカートに折り目をつけるには、アイロンを用いる方法が一般的であるが、アイロンで折り目を付けると、生地にテカリが発生するとともに傷みが生じるという問題点があり、これを解消するために、あて布をする方法もあるが、折り目が見えなくなり使い勝手が悪いという問題点があった。なにより、プリーツスカートの着用者の大多数は小学生、中学生を含む学生であり、彼女たちにとって火傷をする怖れのあるアイロンの取り扱いも簡単ではないという問題点があった。
【０００３】
また、プリーツスカートを直接、布団等の下に置く寝押し方法も一般的であるが、裏面の状態が視認できず、寝押し後、取り出して見るまで折り目の具合がわからないという問題点があった。また、寝押しをする場所でプリーツスカートの形状を整えなければならず、環境によっては、狭く光量も乏しいところでの作業を余儀なくされるという問題点があった。
【０００４】
特許文献１に示すように、ズボンをプレスして折り目を付けるものとして、厚みが０．３ミリメートル程度の上部シートと厚みが０．５〜０．６ミリメートル程度の底部シートとの間に厚みが０．３ミリメートル程度の中間シートを挟み、寝押し等の外圧でズボンをプレスするズボンプレッサーは提案されているが、このようなものを用いてプ
リーツスカートに折り目を付けようとすると、底部シートの上にプリーツスカートを置き、折り目を合わせながら上部シートをプリーツスカートの上に被せる必要があり、手間がかかるという問題点と裏面の状態が視認できず、寝押し後、取り出して見るまで折り目の具合がわからないという問題点があった。透明なシートを用いたプレス器具は、そのほとんどがズボン用であり、とりわけプリーツスカートでの使用を主たる目的としたものはない。ズボンの折り目は基本的に両端に1本ずつであるが、プリーツスカートの折り目は全面に十数本あり、さらにプリーツが広がったり重なったりすることで本来のスカートの幅がわかりにくいため、きれいに折り目を付けるのが極めて困難な作業であった。
【０００５】
このような問題点を解消するために提案された特許文献２に示すものは、硬質の第１基板と、軟質で透明な第１シートとの間に衣服を挟む軟質で透明な第２シートと、この第２シートの外側に配置されて前記第１基板との間で前記第１シート、衣服、第２シートを挟み付ける硬質の第２基板と、前記第１基板及び第２基板を締め付ける締め付け具とを備えたものであるが、業務用に使用するような大がかりなプレス装置であるとともに、しわや折り目を直す場合、締め付け具を緩めるとともに、再度第２シートをめくって再修正しなければならず、面倒であるという問題点があった。
【先行技術文献】
【特許文献】
【０００６】
【特許文献１】特開平１１−１９２１５０
【特許文献２】特開２０００−１５７４０７
【発明の概要】
【発明が解決しようとする課題】
【０００７】
本発明は上記従来の課題を解決するもので、プリーツスカート用折り目付け具の表裏両面を視認しながら手軽に整然としたプリーツスカートの折り目をつけることが容易で、安価で何よりも安全なプリーツスカート用折り目付け具を提供するものである。 
【課題を解決するための手段】
【０００８】
上記課題を解決するため、本発明のプリーツスカート用折り目付け具は、可撓性を有する厚手の透明な二つ折りされたシート間にプリーツスカートを挟むとともに、プリーツスカートのウエスト部と対面したシートの上端部を両手で持ち上げて軽く前後に振るという操作によってプリーツを整えることを特徴とする。
【発明の効果】
【０００９】
本発明のプリーツスカート用折り目付け具は、可撓性を有する厚手の透明な二つ折りされたシート間にプリーツスカートを挟むとともに、プリーツスカートのウエスト部と対面したシートの上端部を両手で持ち上げて軽く前後に振るという操作によってプリーツを整えることを特徴とするものであるから、シート間にプリーツスカートを挟んだ後、プリーツスカートのウエスト部と対面したシートの上端部を両手で持ち上げて軽く前後に振るという操作によってプリーツを整え、表裏両面のプリーツの状態を視認し、必要があれば修正し、寝押し、プレス及びズボンプレッサーのような電気機器による折り目付けに用いることができるという効果がある。アイロン等による生地のテカリや傷みもなく、スカート本来の幅で、プリーツスカートに整然とした折り目をつけることができ、例えば寝押しによる折り目付けをする場合は、寝押しをする場所とは別の広々とした明るい場所で寝押しまでの前作業を行なうこともでき、プリーツスカートの折り目付けが非常に容易にできるという効果がある。
【発明を実施するための形態】
【００１０】
以下、本発明を実施の形態の一例を図１及び図２に基づいて詳述すると、本発明のプリーツスカート用折り目付け具１は、二つ折りされており、プリーツスカートＰの外形と対応してプリーツスカートＰの外形よりも大きな相似形の台形形状に形成された可撓性を有し軟質で厚手の透明な対となったシート２、２の間にプリーツスカートＰを挟むようになっている。
【００１１】
シート２、２の間に配設される折り返し部３は、シート２、２と一体的に同一のもので構成されており、上下方向に並設したシート２、２間に折り返し部３が設けられている。
【００１２】
折り返し部３の側方にはプリーツスカート用折り目付け具１を持ち上げて振る際にプリーツスカートＰのウエスト部把持し易くするために切欠部４を設けている。切欠部４を設けることにより、切欠部４からシート２、２の内側に人差し指を挿入するとともに、人差し指をプリーツスカートＰのウエスト部の内側に挿入することができ、ウエスト部を引き伸ばした適切な状態でプリーツを整えることができるものである。
【００１３】
シート２の台形形状の両傾斜部５、５にはシート２、２を接離自在とする接合手段６、６がそれぞれ設けられている。プリーツスカートＰのウエスト部と対応する位置のシート２は、台形形状の短辺７となり、プリーツスカートＰの裾部と対応する位置のシート２は、台形形状の長辺８となっている。
【００１４】
接合手段６は、凹凸嵌合するホック、ロットボタン、スナップボタンのようなもので構成されており、一方のシート２には凹状の嵌合部を備えたものが設けられており、他方のシート２には凹状の嵌合部と嵌合する凸状の嵌合部を備えたものが設けられている。接合手段６は、シート２の台形形状の短辺７側に設けられシート２、２間に挟んだプリーツスカートＰのウエスト部を挟持する挟持手段９の一部となる第1の接合手段６ａと、台形形状の傾斜部５の中間位置に設けられた第２の接合手段６ｂと、台形形状の長辺８側に設けられた第３の接合手段６ｃとから構成されている。
【００１５】
接合手段６として、面状ファスナーを使用した場合は、第２の接合手段６ｂ同士及び第３の接合手段６ｃ同士がプリーツスカート用折り目付け具１を持ち上げて振る際に不用意に接合するのを防止するために、少なくとも左右の一方の第２の接合手段６ｂ及び第３の接合手段６ｃを事前に接合させることができるように、面状ファスナーのフック状に起毛されたフック部と、面状ファスナーのループ状に密集して起毛された密集部とを隣接させて設けて、プリーツスカート用折り目付け具１を持ち上げて振る際に第２の接合手段６ｂ同士及び第３の接合手段６ｃ同士が不用意に接合するのを防止できるように、フック部と密集部とを接合させた後、プリーツスカート用折り目付け具１を持ち上げて振るようにすれば良いものである。
【００１６】
実施例では、プリーツスカートＰのウエスト部を挟持する挟持手段９は、一対のシート２、２と第1の接合部６ａとで構成されているが、第1の接合手段６ａは設けないで、一対のシート２、２だけで挟持手段９を構成しても構わないものである。
【００１７】
第1の接合手段６ａは、プリーツスカートＰのウエスト部をシート２、２間に挟み、台形形状の短辺７側を両手で持ち上げて軽く前後に振るという操作によってプリーツを整える際に嵌合させるものであり、第２の接合手段６ｂ及び第３の接合手段６ｃは、寝押し、プレスなどにより、プリーツスカートＰに折り目を付ける際に、プリーツスカートＰが移動しないように嵌合させるものである。
【００１８】
プリーツスカートＰのウエスト部が対面する第1の接合部６ａ、６ａの内側、折り返し部３の近傍には、対となった開口部１０が裏面側のシート２に形成されており、シート間に挟んだプリーツスカートＰのウエスト部を開口部１０から挿入させた親指で把持できるようにしており、両手で持ち上げて軽く前後に振るという操作をする際にプリーツスカートＰの位置がずれるのを防止することができる。開口部に代えて、例えば、十字のスリットを入れると、スリット部が撓んで指の力がプリーツスカートＰのウエスト部に伝わり、プリーツスカートＰを保持できるものである。開口部１０は、縦の長さが１０ミリメートル程度で親指が開口部１０の端縁に引っかかるようにしたものが好ましい。又、実施例は開口部１０を横長に形成したが、手の大きさに対応できるように縦長に形成するのが好ましい。
【００１９】
シート２は、厚みが１．５ミリメートルの塩化ビニールでできており、シート２の外側の面には、短辺７から４センチメートル程度のところ、第1の接合手段６ａと第２の接合手段６ｂの中間位置に、短辺７に沿って横に幅１センチメートル前後、厚み１．０ミリメートル〜１．５ミリメートル程度の凸状部１１が設けられており、プリーツスカートＰのウエスト部を開口部１０から挿入させた親指で把持するとともに、凸状部１１に指をかけることにより一対のシート２でプリーツスカートＰを挟み、持ち上げて前後に振る作業を手の小さい握力の弱い小学生、中学生の女子にも容易なものとしている。
この凸状部１１はシート２を製造する過程で厚みを加えるか、後から熱溶着等で厚みを増したり、所定位置に接着したものでも構わないものである。開口部１０にてスカートを把持するか、凸状部１１にてスカートを保持するかは、使用者が適宜決定すればよいものである。凸状部１１に指をかけるとプリーツスカート用折り目付け具１を持ち運ぶのが容易にできるものである。
【００２０】
シート２の長辺８側の外側には、プリーツスカートＰの丈に合わせて切除できるように、長辺８の形状に沿って横に透明なライン１２が４〜５センチメートル間隔で２〜３本形成されている。スカートはウエストのサイズは同じでも、ロングスカートやミニスカートのように、デザインによって丈が大きく異なる場合があり、一対のシート２、２がプリーツスカートＰの丈より必要以上に長ければ、重さも増し、扱いにくいものとなり、とりわけプリーツスカートＰを一対のシート２、２で挟持し、持ち上げ、前後に軽く振るという困難な作業を容易にすることが可能となるものである。
【００２１】
シート２には、表裏を貫通する複数個の空気穴１３が形成されており、シート２、２間に滞留した湿気によりプリーツスカートＰにカビが発生しないようにしている。
【００２２】
折り返し部３は、剛性を弱めるためにシート２の肉厚に比し三分の二程度の厚みにしたり、開口部を形成するのが望ましい。薄肉にしたり、開口部を形成することにより折り返し部３の強度が低下し、繰り返し荷重に耐えられず損傷する場合は、金属材で構成されたヒンジのような別部品で折り返し部３を構成したり、補強しても構わないものである。
開口部、薄肉部及びヒンジのような別部品で構成された折り返し部３は、折り返し部３の剛性が高く、プリーツスカートＰの折り目付けが十分にできない場合に採用すればよいものである。
【００２３】
第1の接合手段６ａは、プリーツスカートＰのウエスト部をシート２、２間に挟み、台形形状の短辺７側を両手で持ち上げて軽く前後に振るという操作によってプリーツを整える際に嵌合させるものであり、第２の接合手段６ｂ及び第３の接合手段６ｃは、寝押し、プレスなどにより、プリーツスカートＰに折り目を付ける際に、プリーツスカートＰが移動しないように嵌合させるものであるが、第1の接合手段６ａ、第２の接合手段６ｂは、無くても構わないものである。
【００２４】
次に、本発明のプリーツスカート用折り目付け具の使用方法について、図３及び図４を参照して説明する。プリーツスカートＰの形状を整え、可撓性を有し軟質で厚手で透明なシート２、２に挟み込み、ひっくり返して裏面の折り目の状態を視認し、必要があればシート２を開き、折り目を修正し、形が崩れない状態で寝押し等の折り目付けをするのであるが、明るくて広い床の上など寝押しに至るまでの作業がやりやすい場所にプリーツスカート用折り目付け具を置き、その上にプリーツスカートＰを置き、シート２をプリーツスカートＰにかぶせ、プリーツスカート用折り目付け具を軽く前後に振ることによって効率良くプリーツを整えることも可能であり、表面のプリーツの折り目に不具合があればシート２をめくり折り目を整えるのである。
第1の接合手段６ａ、第２の接合部６ｂと、第３の接合部６ｃを備えたプリーツスカート用折り目付け具にあっては、必要なら第1の接合手段６ａを開閉して表面のプリーツの折り目に不具合があればシート２をめくり折り目を整え、その後、第２の接合部６ｂと、第３の接合部６ｃを嵌合してプリーツスカートの位置のずれを防止した状態で寝押し、プレスなどにより、プリーツスカートＰに折り目を付けるのである。
【００２５】
シート２、２でプリーツスカートＰを挟み、持ち上げて前後に振る操作において、シートの台形形状の短辺７側の第1の接合手段６ａは接合し、シートの台形形状の短辺７側から離れた第２の接合手段６ｂと、第３の接合手段６ｃは嵌合していない状態で前後に振ることで、プリーツスカート本来の幅でプリーツの状態が整い、その状態のまま下ろすことができる。すべての接合箇所を嵌合して振ってもプレスされている状態なのでプリーツは自然な状態に整わない。このため接合手段６を設けた場合は、容易に開閉できるものでなければならないので、接合手段６はホック、ロットボタン、スナップボタン、面状ファスナーのようなものが好ましい。接合手段６は、独立して６個設けたが、ポリ袋の開閉に使用されているプラスチックでできた凹凸嵌合するチャックのようなものをシート２の台形形状の傾斜部５に沿って２本設けても構わないものである。また、第１の接合手段６ａは、片側だけでなく両側の第１の接合手段６ａが開閉できるようにすることで両側から折り目の不具合を修正することができ、狭い場所でも壁の位置などを気にせず作業をすることができるものであるが、一方を開閉自在としたものでも構わないものである。
【００２６】
本発明のプリーツスカート用折り目付け具１の折り返し部３に関し、上下方向に並設したシート２、２間に設けられたものについて説明したが、図５及び図６に示すように、左右方向に並設したシート２、２間に設けられたものであっても構わない。この場合は、折り返し部３に図示したような長い開口部１４を複数個形成したり、中間位置から下端に至るスリットを設けることで、本発明の第１実施例と同様に、シート２、２の間にプリーツスカートＰを挟み、持ち上げて前後に振る操作において、シートの台形形状の短辺７側の第1の接合手段６ａは接合し、シートの台形形状の短辺７側から離れた第２の接合手段６ｂと、第３の接合手段６ｃは嵌合していない状態で前後に振ることで、プリーツスカート本来の幅でプリーツの状態が整い、その状態のまま下ろすことができるのである。
【００２７】
プリーツスカート用折り目付け具１のシート２、２を折り返し部３を介して上下方向に並設した図１及び図２に示した実施例と、プリーツスカート用折り目付け具１のシート２、２を折り返し部３を介して左右方向に並設した図５及び図６に示した実施例とでは、図１及び図２に示した実施例の方が、シート２、２の間にプリーツスカートＰを挟み、持ち上げて前後に振る操作において、シートの台形形状の長辺８側がフリーでプリーツスカートＰに接触しながらプリーツスカートＰの揺れに追従して動き易く、プリーツスカート本来の幅でプリーツの状態が整い易いシート２、２を折り返し部３を介して上下方向に並設した実施例の方が好ましいものである。
【００２８】
シート２の厚みは、１．０〜２．０ミリメートルであれば、良いものであり、ある程度の厚みを有することで二つの大きな効果を生み出す。一つは、シート２でプリーツスカートＰを挟持した状態でひっくり返してプリーツスカートＰの表裏両面の折り目を乱すことなく視認することができ、また寝押し等の折り目付け施工に至るまでの作業を寝押し等の折り目付け施工する場所ではない広々とした、光量も十分にあるところで行い、整然とした状態のまま寝押し等の折り目付け作業をする場所に移すことができる。さらに、やわらかいマット等の上でも寝押しが可能となる。もう一つは、シート２でプリーツスカートＰを挟持し持ち上げて前後に振る作業において、プリーツスカートＰだけで前後に軽く振ってもプリーツの状態を整えるのは難しく、たとえ整ったとしても下ろす際によほど慎重に下ろさないとプリーツの状態が乱れてしまう。しかし、厚みのある対となったシート２で挟持していることでシート２の重みが加わりプリーツの状態を整えやすく、軽くプレスされている状態なので、下ろす際にもプリーツの状態が乱れるのを防ぐことができる。しかし、厚みがありすぎると重さも増し取り扱いにくく、透明度も下がり折り目の状態を視認しにくいものとなる。シート２の材質、プリーツスカートの生地、デザインにもよるが、塩化ビニールシートでの試験によると１．５ミリメートル程度が適している。しかし、厚さが０．５ミリメートル違えばコストもかなり違ってくるので、寝押しを施工する場所が畳の上などの場合なら１．０ミリメートルでも十分プレス効果はあり、やわらかいマットの上などの場合なら２．０ミリメートル程度が望ましいものである。
【００２９】
寝押しに限らずある程度重さのあるものの下に置いたり、ズボンプレッサーのようにシートを電気機器に装着し、電気で加熱しても寝押しと同等の効果が得られるものである。ズボンプレッサーのようにシートを電気機器に装着する場合は、プレッサーの幅が大きくならないように、プリーツスカート用折り目付け具を二つ折りにすれば良いものであり、ズボンとプリーツスカートとへの面圧を同一にする調整手段を設けることで、同一のプレッサーを用いることが可能となるものである。プリーツスカートＰの裾部から上部の所定範囲にプリーツが設けられているスカートやプリーツスカートＰの裾部から上部の所定範囲のプリーツに折り目を付ける場合は、プリーツスカート用折り目付け具を二つ折りにすることなく、プレッサーの長手方向にプリーツスカート用折り目付け具を装着すれば良いものである。プレッサーに使用するプリーツスカート用折り目付け具にあっては、装着時、装着後においてプリーツスカート用折り目付け具が不用意に動くことが無いので、第1の接合手段６ａ、第２の接合部６ｂと、第３の接合部６ｃは決して必要でないものである。
【００３０】
また、プレッサーにおいては、プリーツスカートのウエスト部に対応するプレッサーの蓋体と基台の少なくとも一方を切欠しても良いものであり、接合手段６を備えたものでは、接合手段６と対面する位置のプレッサーの蓋体と基台に凹所を設ければ良いものである。また、接合手段６は、凹凸嵌合するホック、ロットボタン、スナップボタンのようなものに代えて、面状ファスナーやマグネットシートを必要に応じてプリーツスカートのウエスト部を挟持する位置に採用しても構わないものであり、面状ファスナーやマグネットシートを採用したものは、面状ファスナーやマグネットシートは薄板状であるので、面状ファスナーやマグネットシートからなる接合手段６と対面する位置のプレッサーの蓋体と基台に凹所を設けたりしなくても良いものである。
【００３１】
本発明のプリーツスカート用折り目付け具１は、プリーツスカートＰの外形と対応してプリーツスカートＰの外形よりも大きな相似形の台形形状に形成された可撓性を有し軟質で厚手の透明なシート２と、前記シート２の台形形状の両傾斜部６には対となったシート２を接離自在とする接合手段７がそれぞれ設けられているものを実施例として図面を用いて説明したが、シートは、長方形形状に形成されていても構わないものであるとともに、接合手段４は、プリーツスカートＰのウエスト部の両端部に位置するシート２の上端部のみに設けたものでも構わないものであり、また、長方形形状のシート２の長手側の両端部において長手方向に平行に複数個設けたり、長方形形状のシート２において、図１に示すように、プリーツスカートＰのヒダ部に沿って傾斜させて複数個設けても構わないものである。
【００３２】
本発明のプリーツスカート用折り目付け具１は、布団、畳ベッド及びマットレスによる寝押し、ホットカーペットによるプレス及びズボンプレッサーのような電気機器による折り目付けに問題なく使用ができるものである。
【図面の簡単な説明】
【００３３】
【図１】本発明の第1実施例におけるプリーツスカート用折り目付け具の外側から見た平面図
【図２】本発明の第1実施例におけるプリーツスカート用折り目付け具の展開図
【図３】本発明の第1実施例における使用状態を説明する斜視図
【図４】本発明の第1実施例におけるシートでプリーツスカートを挟持し、持ち上げて前後の軽く振る状態を示す斜視図
【図５】本発明の第２実施例におけるプリーツスカート用折り目付け具の外側から見た正面図
【図６】本発明の第２実施例におけるプリーツスカート用折り目付け具の展開図
【図７】本発明の第２実施例における使用状態を説明する斜視図
【図８】本発明の第２実施例におけるシートでプリーツスカートを挟持し、持ち上げて前後の軽く振る状態を示す斜視図
【符号の説明】
【００３４】
１    プリーツスカート用折り目付け具
２    シート
３    折り返し部
４    切欠部
５    シートの台形形状の傾斜部
６    接合手段
６ａ  第1の接合手段
６ｂ  第２の接合手段
６ｃ  第３の接合手段
Ｐ    プリーツスカート
【図１】
2014061114.tif 000003
【図２】
2014061114.tif 000004
【図３】
2014061114.tif 000005
【図４】
2014061114.tif 000006
【図５】
2014061114.tif 000007
【図６】
2014061114.tif 000008
【図７】
2014061114.tif 000009
【図８】
2014061114.tif 000010
【手続補正書】
【提出日】平成25年1月23日(2013.1.23)
【手続補正１】
【補正対象書類名】特許請求の範囲
【補正対象項目名】請求項１
【補正方法】変更
【補正の内容】
【請求項１】
可撓性を有する厚手の透明な二つ折りされたシート間にプリーツスカートを挟むとともに、プリーツスカートのウエスト部と対面したシートの上端部を両手で持ち上げて軽く前後に振るという操作によってプリーツを整えるプリーツスカート用折り目付け具であって、前記シート間に挟まれたプリーツスカートのプリーツはプリーツスカートのウエスト部と対面したシートの上端部を両手で持ち上げて軽く前後に振るという操作によって前記シートにより整えられるものであって、寝押しやズボンプレッサーのような電気機器に前記プリーツスカート用折り目付け具を装着してプリーツスカートに折り目を付けることを特徴とするプリーツスカート用折り目付け具。
【手続補正２】
【補正対象書類名】明細書
【補正対象項目名】０００８
【補正方法】変更
【補正の内容】
【０００８】上記課題を解決するため、本発明のプリーツスカート用折り目付け具は、可撓性を有する厚手の透明な二つ折りされたシート間にプリーツスカートを挟むとともに、プリーツスカートのウエスト部と対面したシートの上端部を両手で持ち上げて軽く前後に振るという操作によってプリーツを整えるプリーツスカート用折り目付け具であって、前記シート間に挟まれたプリーツスカートのプリーツはプリーツスカートのウエスト部と対面したシートの上端部を両手で持ち上げて軽く前後に振るという操作によって前記シートにより整えられるものであって、寝押しやズボンプレッサーのような電気機器に前記プリーツスカート用折り目付け具を装着してプリーツスカートに折り目を付けることを特徴とする。
【手続補正３】
【補正対象書類名】明細書
【補正対象項目名】０００９
【補正方法】変更
【補正の内容】
【０００９】  本発明のプリーツスカート用折り目付け具は、可撓性を有する厚手の透明な二つ折りされたシート間にプリーツスカートを挟むとともに、プリーツスカートのウエスト部と対面したシートの上端部を両手で持ち上げて軽く前後に振るという操作によってプリーツを整えるプリーツスカート用折り目付け具であって、前記シート間に挟まれたプリーツスカートのプリーツはプリーツスカートのウエスト部と対面したシートの上端部を両手で持ち上げて軽く前後に振るという操作によって前記シートにより整えられるものであって、寝押しやズボンプレッサーのような電気機器に前記プリーツスカート用折り目付け具を装着してプリーツスカートに折り目を付けることを特徴とするものであるから、シート間にプリーツスカートを挟んだ後、プリーツスカートのウエスト部と対面したシートの上端部を両手で持ち上げて軽く前後に振るという操作によってプリーツを整え、表裏両面のプリーツの状態を視認し、必要があれば修正し、寝押し、プレス及びズボンプレッサーのような電気機器による折り目付けに用いることができるという効果がある。アイロン等による生地のテカリや傷みもなく、スカート本来の幅で、プリーツスカートに整然とした折り目をつけることができ、例えば寝押しによる折り目付けをする場合は、寝押しをする場所とは別の広々とした明るい場所で寝押しまでの前作業を行なうこともでき、プリーツスカートの折り目付けが非常に容易にできるという効果がある。
【手続補正書】
【提出日】平成25年5月29日(2013.5.29)
【手続補正１】
【補正対象書類名】特許請求の範囲
【補正対象項目名】全文
【補正方法】変更
【補正の内容】
【特許請求の範囲】
【請求項１】
可撓性を有する厚手の透明な二つ折りされたシート間にプリーツスカートを挟むとともに、プリーツスカートのウエスト部と対面したシートの上端部を両手で持ち上げて軽く前後に振るという操作によってプリーツを整えるプリーツスカート用折り目付け具であって、前記シート間に挟まれたプリーツスカートのプリーツはプリーツスカートのウエスト部と対面したシートの上端部を両手で持ち上げて軽く前後に振るという操作によって前記シートにより整えられるものであって、寝押しやズボンプレッサーのような電気機器に前記プリーツスカート用折り目付け具を装着してプリーツスカートに折り目を付けることを特徴とするプリーツスカート用折り目付け具。
【請求項２】
二つ折りされたシートの折り返し部の側方にはプリーツスカートのウエスト部を把持し易くするために切欠部を設けていることを特徴とする請求項１に記載のプリーツスカート用折り目付け具。
【請求項３】
折り返し部の近傍には、開口部が形成されており、シート間に挟んだスカートのウエスト部を把持できることを特徴とする請求項１又は請求項２のいずれか１項に記載のプリーツスカート用折り目付け具。
【請求項４】
一対のシートは、プリーツスカートの外形と対応する台形形状に形成されており、前記シートの台形形状の両傾斜部には傾斜部に沿って透明シートを接離自在とする接合手段を複数個設けたことを特徴とする請求項２又は請求項３のいずれか１項に記載のプリーツスカート用折り目付け具。
【請求項５】
プリーツスカートのウエスト部と対面したシートの上端部を両手で持ち上げて軽く前後に振る把持位置のシートの外側の面には、凸状になった把持部を有することを特徴とする請求項２又は請求項３のいずれか１項に記載のプリーツスカート用折り目付け具。
【請求項６】
シートの厚みは１．０〜２．０ミリメートルであることを特徴とする請求項２又は請求項３のいずれか１項に記載のプリーツスカート用折り目付け具。